(57)【要約】  基本的な考えは、＋１、−１を送信することに加え、第３の状態を送信することにある。第３の状態とは、送信が行われないことで表される。符号「０」に対応して周波数「０」、符号「１」に対応して周波数「１」、符号「２」に対応して周波数「２」、符号「３」に対応して周波数「０」および周波数「１」とする。また２つの周波数および位相変調を利用する。周波数「１」は２つの位相状態を持ち、周波数「２」は２つの位相状態を持つ。よって、４ビットがコード化される。もし２つの位相状態をもつ周波数「２」のみ送信すれば、もう２ビット多く送信することができる。もし周波数「１」も「２」も送信しなければ、さらに、もう一個のビット状態を示すことができる。よって、８ビットがコード化できる。【特許請求の範囲】
【請求項１】
変調、伝送路符号化、およびエンコーディングのうち少なくともいずれか一つの方法において、
従来の振幅変調、周波数変調、位相変調、およびそれらの組み合わせにおいて使われる電流、光波、または電磁波のような完全な伝送搬送波全体が、さらにＯＮ−ＯＦＦ切り替え可能となっており、
搬送波が完全にＯＦＦされる場合は、電圧振幅、周波数、位相などの完全な不在により搬送波が全く存在しないことで、受信機により検知可能となっており、
搬送波がＯＮ−ＯＦＦ切り替え可能であることにより、従来の振幅変調、周波数変調、位相変調、および／またはその組み合わせと比較して、各ビットに割り当てられたインターバル期間に伝送可能な状態レベルを増大させる方法。
【請求項２】
変調、伝送路符号化、およびエンコーディングのうち少なくともいずれか一つの方法において、
従来の振幅変調、周波数変調、位相変調、およびそれらの組み合わせにおいて使われる電流、光波、または電磁波のような完全な伝送搬送波全体が、さらにＯＮ−ＯＦＦ切り替え可能となっており、
搬送波が完全にＯＦＦされる場合は、電圧振幅、周波数、位相などの完全な不在により搬送波が全く存在しないことで、受信機により検知可能となっており、
搬送波がＯＮ−ＯＦＦ切り替え可能であることにより、従来の振幅変調、周波数変調、位相変調、および／またはその組み合わせと比較して、各ビットに割り当てられたインターバル期間に伝送可能な状態レベルを、（ｎ−ａｒｙ）＋１，｛２ｅ（ｎ＋１）｝−ａｒｙ，｛（ｂａｓｅ）ｅ（ｎ＋１）｝−ａｒｙのうち少なくともいずれか１つにまで増大させる方法。
【請求項３】
変調、伝送路符号化、およびエンコーディングのうち少なくともいずれか一つの方法において、
従来の振幅変調、周波数変調、位相変調、およびそれらの組み合わせにおいて使われる電流、光波、または電磁波のような完全な伝送搬送波全体が、さらにＯＮ−ＯＦＦ切り替え可能となっており、
搬送波が完全にＯＦＦされる場合は、電圧振幅、周波数、位相などの完全な不在により搬送波が全く存在しないことで、受信機により検知可能となっており、
搬送波がＯＮ−ＯＦＦ切り替え可能であることにより、従来の振幅変調、周波数変調、位相変調、および／またはその組み合わせと比較して、各ビットに割り当てられたインターバル期間に伝送可能な状態レベルを増大させ、
シンボル間干渉による信号対雑音のマージンを減らすことなく、またより高い信号伝達パワーを用いることなく、伝送チャンネルの容量を増大させる方法。
【請求項４】
上記搬送波の存在、ならびに搬送波に伴う電圧振幅、位相、および周波数成分の完全な不在により信号が全く存在しない状態である、完全な搬送波の不在の少なくともいずれか一方を検知するために、モデム送信機および受信機の少なくともいずれか一方のソフトウエア、ファームウエア、またはハードウエアを用いる請求項１〜３のいずれか１項に記載の方法。
【請求項５】
任意の時間で、チャンネルを通じて、周波数のあらゆる組み合わせ、または周波数の部分集合である周波数群を送信、または組み合わせて送信しており、
上記各周波数、および単一とした上記周波数の組み合わせ、または部分集合のうち、少なくともいずれか１つに適用され、伝送ビットごと、またはビットごとの集合ごとに、シンボルの最大数を大きくする、請求項１〜４のいずれか１項に記載の方法。
【請求項６】
上記伝送路符号化またはエンコーディングでは、さらに、ビットストリームおよびクロック同期化の少なくとも一方を含んでいる請求項１〜５のいずれか１項に記載の方法。
【請求項７】
従来の振幅変調、周波数変調、位相変調、および／またはそれら組み合わせにおいて使われる電流、光波、または電磁波のような完全な伝送搬送波は、さらに、光源の完全なＯＮ−ＯＦＦ切り替えをおこなう従来の光ＯＯＫ（ＯＮ−ＯＦＦキーイング）と同様に、ＯＮ−ＯＦＦ切り替えが可能であり、
搬送波が完全にＯＦＦされる場合は、電圧振幅、周波数、位相などの完全な不在により搬送波が全く存在しないことで、受信機により検知可能となっている請求項１〜６のいずれか１項に記載の方法。
【発明の詳細な説明】
【技術分野】
【０００１】  既存のデジタルデータ伝送は、主に２進（バイナリ）変調レベルを採用するように構成されている。例えば、２またはｎ−ａｒｙ（アリティ）の異なる振幅または電流レベル、および／または、２またはｎ−ａｒｙの異なる位相、および／または２またはｎ進法の異なる周波数またはそれらの組み合わせなどである。また、ノイズ存在下における搬送波チャンネルでの信号伝達要件により、この２進変調レベルを採用するように構成されている。例えば４Ｂ３Ｔ、ＱＡＭなどのように、様々なｎ−ａｒｙレベルの組み合わせを用いて伝送が行われる。【０００２】  これらにおいては、各インターバル間に、より多くの状態を伝えるために搬送波（電流または光波）のＯＮ−ＯＦＦ状態を利用することができる。現在では、各インターバル間において、２つの状態レベルのみを、２進シグナル伝達（２進ビット）により伝えることができる。例えば、電圧レベル＋１と電圧レベル＋０．５、電圧レベル＋１と電圧レベル−１、電圧レベル＋１と電圧レベル０、そして１８０度のＯＲ位相変化と０の位相変化などである。この搬送波のＯＮ−ＯＦＦにより各インターバル間において伝えることのできる状態レベルを増やすことができる。なお、搬送波のＯＮ−ＯＦＦとは、搬送波が全く存在しないことを検知できる、すなわち、搬送波である電流または光波の電圧、アンペア、または位相などが全く存在しないことを検知できることである。より具体的には、送受信機間の物理的伝送リンクまたは物理的搬送波ループが切断されるなど、搬送波の完全なる不在状態のことである。【０００３】  なお、従来の変調、ｎ−ａｒｙの符号（シンボル）化、光伝送などについては、以下を参照のこと。【０００４】  ｈｔｔｐ：／／ｗｗｗ．ｉｅｃ．ｏｒｇ／ｏｎｌｉｎｅ／ｔｕｔｏｒｉａｌｓ／ｏｐｔ＿ｔｒａｎｓ／ｔｏｐｉｃ０３．ｈｔｍｌ
ｈｔｔｐ：／／ｗｗｗ．ｔｐｕｂ．ｃｏｍ／ｎｅｅｔｓ／ｔｍ／１１２−２．ｈｔｍ
Ｇｏｏｇｌｅ（登録商標）検索：用語  ‘ＦＩＢＥＲ  ＯＰＴＩＣ  ＴＲＡＮＳＭＩＴＴＥＲＳ‘，‘ｏｐｔｉｃａｌ  ｍｏｄｕｌａｔｉｏｎ‘，‘ｏｐｔｉｃａｌ  ｔｒａｎｓｍｉｓｓｉｏｎ‘，‘ｏｐｔｉｃａｌ  ｄｅｔｅｃｔｉｏｎ‘
Ｇｏｏｇｌｅ（登録商標）  グループ検索：用語  ‘ｏｎ  ｏｆｆ  ｏｐｔｉｃａｌ  ｍｏｄｕｌａｔｉｏｎ‘‘ＯＯＫ  ｍｏｄｕｌａｔｉｏｎ‘
ｈｔｔｐ：／／ｅｓｅｒｖｅｒ．ｂｅｌｌ．ａｃ．ｕｋ／ｍｉｒｒｏｒｓ／ｄｃ１００ｗｗｗ／ｄｃ＿０１６．ｈｔｍ
ｈｔｔｐ：／／ｍｅｍｂｅｒｓ．ａｏｌ．ｃｏｍ／ｍｉｒｒｏｒｓ／ｄｃ１００ｗｗｗ／ｄｃ＿０１６．ｈｔｍ
Ｇｏｏｇｌｅ（登録商標）検索：用語  ‘ＱＡＭ‘ｆｉｌｅ
ｈｔｔｐ：／／ｗｗｗ．ｓ３．ｋｔｈ．ｓｅ／ｒａｄｉｏ／Ｐｕｂｌｉｃａｔｉｏｎ／Ｐｕｂ２０００／ＺｈｕＬｅｉ２０００＿２．ｐｓ
Ｇｏｏｇｌｅ（登録商標）検索：用語  ‘Ｆｒｅｑｕｅｎｃｙ  Ｄｉｖｉｓｉｏｎ  Ｍｕｌｔｉｐｌｅｘ‘
Ｇｏｏｇｌｅ（登録商標）検索：用語  ‘Ｇｌｏｓｓａｒｙ  ｏｆ  Ｔｅｌｅｃｏｍｍｕｎｉｃａｔｉｏｎ  Ｔｅｒｍｓ  Ｆｅｄｅｒａｌ  Ｓｔａｎｄａｒｄ  １０３７Ｃ‘
Ｇｏｏｇｌｅ（登録商標）検索：用語  ‘Ａｍｐｌｉｔｕｄｅ  Ｐｈａｓｅ  Ｋｅｙｉｎｇ  ｗｉｔｈ  Ｍ−ａｒｙ  Ａｌｐｈａｂｅｔｓ‘
Ｇｏｏｇｌｅ（登録商標）検索：用語  ‘Ｃａｒｒｉｅｒ  Ｓｙｎｃｈｒｏｎｉｚａｔｉｏｎ  ａｎｄ  Ｄｅｔｅｃｔｉｏｎ  ｏｆ  ＱＡＳＫ  Ｓｉｇｎａｌ  Ｓｅｔｓ‘
Ｇｏｏｇｌｅ（登録商標）検索：用語  ‘Ｏｐｔｉｃａｌ  ｍｏｄｕｌａｔｉｏｎｓ‘
Ｇｏｏｇｌｅ（登録商標）検索：用語  ‘ｎ−ａｒｙ  ｍｏｄｕｌａｔｉｏｎｓ‘‘ｎ−ａｒｙ  ｃｏｄｅ‘
Ｇｏｏｇｌｅ（登録商標）検索：用語  ‘ｔｅｒｎａｒｙ  ｍｏｄｕｌａｔｉｏｎｓ‘，‘ｔｅｒｎａｒｙ  ｃｏｄｅ‘【０００５】  例えば、５６Ｋモデム線の場合、１秒間に５６，０００のインターバルがあり、各インターバルにおいて１バイナリビット（２進ビット）の情報を伝えることができる。搬送波または電流のＯＮ−ＯＦＦ状態により、各ビットインターバルにおいてより多くの状態を伝えることができる。例えば、ＯＮ状態の搬送波／電流に加えて、２進数により２レベルの状態を伝えることができる。これにより、モデム線帯域幅を、５６Ｋ／秒を遙かに超えるように設定することができる。例えば、シンボル「２」で示すＯＦＦ変調状態（すなわち、１ビットインターバル単位相当の伝送が完全にＯＦＦの状態）と、シンボル「０」で示す−１Ｖ、およびシンボル「１」で示す＋１Ｖの電圧の２進変調とが、チャンネルノイズ方向（ｃｈａｎｎｅｌ  ｎｏｉｓｅ  ｗｉｓｅ）に対して完全に直交する。そのため、所定のビットインターバル間に伝送がない場合、＋または−１Ｖの「ＯＮ」変調が「ＯＦＦ」変調であると間違って検出される可能性はなくなる。すなわち、チャンネルノイズにより＋または−１Ｖの電圧が受信側に０Ｖであると誤って検出されたとしても、受信側は、これを「ＯＦＦ」変調ではないと認識する。つまり、振幅、位相、周波数の検知が全くない期間をともない、単位ビットインターバル間に信号が全く存在しない場合、受信側はＯＦＦ、すなわちまったく伝送が行われていないと認識するからである。ここで、モデム送信機および受信機のソフトウエア、ファームウエア、ハードウエアは、各ビットインターバル間に搬送波または電流の有無を検知するように構成されている必要がある。【０００６】  ｎ−ａｒｙの場合１増加させ、２ｅｎ−ａｒｙの場合、倍増させる、ビットあたりのシンボル群を増加させる従来の振幅変調、位相変調、周波数変調、または様々な組み合わせを上記のＯＮ−ＯＦＦ信号送信（すなわち、ＯＦＦ時に何も送信しないわけではなく、変調された搬送波または純粋なベースバンド伝送を完全にＯＮ−ＯＦＦ切り替えする）に組み合わせることと同様に、既存の周波数偏移キーイング法（例えば、２進（バイナリ）のうち１に対応する周波数と２進（バイナリ）のうち０に対応する別の周波数とを伝送する）は、ｎ−ａｒｙレベルのシンボルを使うのに用いることができる。例えば、シンボル「０」に対応して周波数Ｆ（０）を伝送、シンボル「１」に対応して周波数Ｆ（１）の伝送、シンボル「２」に対応して周波数Ｆ（２）の伝送・・・シンボル「ｎ」に対応して周波数Ｆ（ｎ）の伝送する。さらに、このようなｎ−ａｒｙ周波数偏移キーイング法（任意の一つの時間において伝送する周波数を、ｎ個の周波数の中から１つ選ぶ）は、周波数の組み合わせ、すなわち周波数群を、常時、媒体を通じて伝送するために用いることができる。これにより、シンボルの最大数を、ｎ個の周波数からｎ個を超え最大２ｅｎ（２のｎ乗、即ち、２をｎ回乗じたもの）にまで、実質的に大きくすることができる。なおこの場合、受信機では、ｎ個の周波数を一度に検知できるように構成される必要がある。例えば、シンボル「０」に対応して周波数Ｆ（０）を伝送し、���ンボル「１」に対応して周波数Ｆ（１）を伝送し、シンボル「２」に対応して周波数Ｆ（２）を伝送し、シンボル「３」に対応して周波数Ｆ（０）とＦ（１）とを伝送し、シンボル「４」に対応して周波数Ｆ（０）とＦ（２）とを伝送し、シンボル「５」に対応して周波数Ｆ（１）とＦ（２）とを伝送し、シンボル「６」に対応して周波数Ｆ（０）、Ｆ（１）、およびＦ（２）を伝送するが、シンボル「７」に対応しては、周波数Ｆ（０）、Ｆ（１）、およびＦ（２）のいずれも伝送しないものとする。周波数分割多重伝送方式において、周波数Ｆ（ｎ）のそれぞれが、このようにチャンネルの周波数スペクトラムが異なる領域にある場合、各周波数に影響するチャンネルノイズが直交または直交に近い状態になる。なお、この直交または直交に近い状態とは、ある周波数に作用する媒体ノイズが、別の周波数において同様に作用しない場合、あるいは作用したとしても同時にあまり作用しない場合である。【０００７】  また、上述した直交ｎ−ａｒｙレベルシンボル（ｏｒｔｈｏｇｏｎａｌ  ｎ−ａｒｙ  ｌｅｖｅｌｓ  ｓｙｍｂｏｌｓ）（および／または２ｅｎ−ａｒｙ周波数群シンボル）法は、伝送用のシングル変調搬送波を使用しており、振幅変調のみに適応させることは不可能である。これは、ある任意の時間において、即座にある単一の電圧レベルまたは位相でのみ、上記変調された搬送波が存在しうるからである。これは、例えば、シンボル「０」に対して０Ｖ、シンボル「１」に対して＋１Ｖ、シンボル「２」に対して−１Ｖといった、３進数のエンコーディングにおける、ｎ−ａｒｙ多電圧レベルを示す、ビットごとのｎ−ａｒｙシンボルに似ている。この３進数のエンコーディングでは、チャンネル信号対ノイズのマージンを、例えば、２Ｖの間隔（２進レベルシンボルの場合の＋１Ｖ−（−１Ｖ）＝２Ｖ）からちょうど１Ｖ（＋１Ｖ−０Ｖ＝１Ｖ）へと低減させることとなる。同様に、２ｅｎ−ａｒｙ群シンボル法を位相変調に適用させることはできない。適用しようとすれば必ずレベル間（振幅および／または位相）のノイズマージン、またはシンボル間干渉（ＩＳＩ）の削減が必要となり、レベル間／シンボル間において、多レベル振幅変調、多レベル位相偏移キーイング、またはそれらの組み合わせと実質的に同じ雑音比となる。これらの例としては、２レベルの振幅および２つの位相変化を、送信信号の信号変調に使用するＱＡＭ（Ｑｕａｄｒａｔｕｒｅ  Ａｍｐｌｉｔｕｄｅ  Ｍｏｄｕｌａｔｉｏｎ）が挙げられる。【０００８】    しかしながら、もし上記２つの振幅レベルおよび２つの位相変化が、それぞれ別の２つの周波数変調に用いられた場合、すなわち２つの周波数信号（一方は振幅変調され、もう一方は位相変調されたもの）が同時に送信される、またはこれら２つの周波数信号が送信前に一つの信号へと結合される場合、ビット変調ごとに３ｅ２−ａｒｙ、すなわち９−ａｒｙレベル／シンボルが得られる（ＱＡＭ変調では４−ａｒｙが得られる）。なお、上記２つの周波数信号が送信前に１つの信号へと結合される場合では、この結合された、異なる周波数信号を受信機側で処理し、元の周波数信号へと分離し、それぞれ振幅処理、位相処理にかける構成であってもよい。ところで、受信側がそれぞれ検知できる、上記異なる周波数信号のＯＮ−ＯＦＦ順列の可能な組み合わせは、例えば以下のとおりである。すなわち、シンボル「０」−「３」を示す２つの振幅および２つの位相の組み合わせに対して両周波数をＯＮし、シンボル「４」および「５」を示す２つの振幅に対して一方の周波数をＯＮして、他方の周波数をＯＦＦし、シンボル「６」および「７」を示す２つの振幅に対して、前記他方の周波数をＯＮ、前記一方の周波数をＯＦＦし、シンボル「８」を示すため、両周波数をＯＦＦとする。上記２つの周波数それぞれのレベルは、ノイズを減じるように直交または直交に近い状態となる。これにより、２つの異なる周波数、ならびに送信機および受信機用のソフトウエア、ファームウエア、ハードウエアの簡単な適用により、従来のＱＡＭ法と比べて不利となる信号ノイズが加えられることなく、４−ａｒｙから増加して、９−ａｒｙの変調を得ることができる。【０００９】  一般的に、変調のために使われる伝送特性の組み合わせが直交性を有している場合（例えば、振幅、位相、周波数、伝送のＯＮ−ＯＦＦ切り替えなどであり、互いに直交性を有し、かつこれらの一つに影響するチャンネルノイズは、その他にはあまり同じような影響を与えない場合）、２ｅｎ−ａｒｙ群シンボル法を利用することができる。これにより、伝送チャンネルの情報量を大きく増加させることができる。例えば、もしビットごとに３進数で示すシンボル群を利用できる、伝送の全ＯＮ−ＯＦＦ切り替えを用いる場合（例えば、シンボル「２」に対して全非送信（ｃｏｍｐｌｅｔｅ  ｎｏｎ−ｔｒａｎｓｍｉｓｓｉｏｎ）、シンボル「０」に対して振幅＋１Ｖまたは周波数Ｆ（０）、シンボル「１」に対して振幅−１Ｖまたは周波数Ｆ（１））、５６Ｋモデムは理論的には３ｅ５６Ｋまたは２ｅ５６Ｋ倍（５６，０００の三進数ビットと５６，０００のバイナリビットで表されることのできる最大数）の情報を一秒間に送ることができる。さらに、上記三進数に対して、２ｅ２シンボル群法を適用する場合、５６Ｋモデムは理論上５６，０００×５６，０００倍の情報量（表される最大値、すなわち４ｅ５６Ｋ／２ｅ５６Ｋ）、または約５０％増加した情報量（２進数を超える（２＋１）ａｒｙ法を使用してビットごとに転送可能なシンボル数）、または約１００％つまり２倍増加した情報量（２進数を超える（２ｅ２）ａｒｙ法（２の２乗）においてビットごとに転送可能なシンボル数）を一秒間あたり転送することができるようになる。なお、上記２ｅ２シンボル群法を適用する上記三進数では、伝送の全ＯＮ−ＯＦＦ切り替えでシンボル「３」を示し、周波数Ｆ（０）でシンボル「０」を示し、周波数Ｆ（１）でシンボル「１」を示し、Ｆ（０）およびＦ（１）の両周波数でシンボル「２」を示している。そして、ＯＮ−ＯＦＦ切り替え、Ｆ（０）、およびＦ（１）はそれぞれチャンネルノイズ干渉方向に直交性を有している。また、ここでの上記２ｅ２シンボル群法とは、２ｅ２＝４個のシンボル群であり、例えば、完全なＯＦＦでシンボル「３」を示し、Ｆ（１）およびＦ（２）でシンボル「２」を示し、Ｆ（１）のみでシンボル「１」を示し、Ｆ（０）のみでシンボル「０」を示す。【００１０】  なお、���ナログモデムから電話線を短時間取り外し、再びモデムへ取り付けても、モデムによるデータ通信は終わることはない。ＯＦＦ−ＯＦＦ完全非伝送変調（ｏｆｆ−ｏｆｆ  ｃｏｍｐｌｅｔｅ  ｎｏｎ−ｔｒａｎｓｍｉｓｓｉｏｎ  ｍｏｄｕｌａｔｉｏｎ）と従来のモデム２進変調（または他の従来のｎ−ａｒｙ変調）とを組み合わせ、ビットエンコーディング（または２ｅｎ−ａｒｙエンコーディング）ごとに（ｎ＋１）−ａｒｙシンボルを実現するためには、長時間の継続的なＯＦＦ状態による非送信に起因して、ビットストリームやクロック同期が失われないように、伝送路符号化および／またはチャンネル符号化法を構成する必要がある（ビットストリームやクロック同期を保存する従来の様々な伝送路符号化、および／またはチャンネル符号化法に似ている）。モデムソフトウエア、ファームウエア、および／またはハードウエアは、ＯＦＦ状態による上記完全非送信（信号が完全に存在しないこと）を検知するべく構成される必要がある。この完全非送信は、信号に付随する振幅、位相、周波数が完全に存在しないことによってもわかる。【００１１】  ＱＡＭなどのように、伝送変調のために、２進データを３進、４進、ｎ−ａｒｙ、２ｅｎ−ａｒｙのデータへと変換する従来技術はすでに存在している。たとえば、２進コードビットを一度に３つ用いて、伝送用に２つの３進コードビットに変換するなどである。【００１２】  同期および／または非同期タイミングは、従来の２進データストリーム／クロック同期用と同様の方法に基づき得られた３進データストリームから得ることができる。【００１３】  従来公知の光信号変調は、振幅キーイング（光ビームの強度を変更する、または光ビームの全ＯＮ−ＯＦＦ切り替えを行う）、位相偏移キーイング、周波数偏移キーイング、ＯＮ−ＯＦＦキーイング（ＯＯＫ；光源による送信の完全なＯＮ−ＯＦＦまたは光源を閉めること）、または上記組み合わせのｎ−ａｒｙによって実現できる。このようなＯＮ−ＯＦＦ切り替えのなかで、ＯＯＫ（ＯＮ−ＯＦＦキーイング）変調は良く構成されており、他の振幅変調、位相変調、周波数変調、またはそれらの各ビットの多レベルｎ−ａｒｙシンボル群と組み合わせて情報転送量を、大きく増加させることができる。また、ＯＯＫ変調は、これらと組み合わせて、各ビット変調の２ｅｎシンボル群を提供することができる。なお、例えば、全ＯＮ−ＯＦＦ切り替えとともに光強度、および／または位相、および／または周波数、および／または、ＱＡＭなどのようなそれらの組み合わせなど、これら変調特性、パラメータの組み合わせ、送信特性は、チャンネルノイズ方向に対して、直交または直交に近いことが好ましい。【００１４】  本発明を実施するために、既存のＯＯＫ（光源の完全なＯＮ−ＯＦＦ切り替え）は既存のｎ−ａｒｙ位相または周波数偏移変調と組み合わせることができ、光源を完全にＯＦＦすることでシンボル「ｎ＋１」を表す。光源がＯＮ時には、ビットごとに（ｎ＋１）−ａｒｙレベルまたはシンボルを与え、ｎ個のシンボルを表すこととなる。既存のＯＯＫ（光源の完全なＯＮ−ＯＦＦ切り替え）と２進光強度変調（ｂｉｎａｒｙ  Ｌｉｇｈｔ  Ｉｎｔｅｎｓｉｔｙ  ｍｏｄｕｌａｔｉｏｎ）と��組み合わせた場合、光強度変調においてシンボル「０」の電圧レベルは、シンボル「１」に対する電圧レベルの２分の１であることが好ましいが、０に選択しても、すなわち光源の完全なＯＦＦ時と同じ状態であっても問題はない。なぜならば、光源の完全なＯＦＦ時には、電圧が０ボルトであるだけでなく、位相および周波数の存在が全く検知されないからである。位相が全く存在しないことは、例えばローカル受信機が生成した発振信号と、入力信号または結合された入力信号の分離された成分とを組み合わせ、該組み合された入力信号、または組み合わされた入力信号の分離された成分を積算したものを観察することにより、入力信号の不在を判断する。ローカル受信機が生成した発振信号は、振幅、位相、周波数において同一である。【００１５】  ＯＯＫとｎ−ａｒｙ周波数偏移とを組み合わせて本発明を実施する場合、同時にそれぞれ送信された信号または送信前に結合された信号の、それぞれ分離した別々のｍ個の周波数領域によって周波数変調のｎ個のレベルまたはシンボルが伝えられ（示され）、各周波数によりｓ個のレベルまたはシンボルが伝えられ（ここで、ｎ＝ｍ×ｓ）れば、ビットごとのレベル数またはシンボル数はｓのｍ乗となる。【００１６】  本発明は、レベル間またはシンボル間における信号対雑音を低減させるいかなるものも採用する必要がなく、さらにまた、より高い信号パワーを要求するいかなるものも必要ない。【００１７】  間違った継続した同じ状態の伝送の発生を検知、あるいは防ぐため、および／またはビットストリームやクロック同期を確実にするために２進の搬送波へ適用される様々な既存の技術は、同様に、例えば完全な回線ロスによる、間違って継続した搬送波のＯＦＦ状態、あるいは電流のＯＦＦ状態（すなわち、搬送波の不在）の発生を検知または防ぐために用いることができる。例として、既存のエンコーディング法、ビット同期、上記目的（例えば長すぎる継続したＯＦＦ状態を防ぐ）のために用いられるエラー補正、ＰＬＬ（Ｐｈａｓｅ  Ｌｏｃｋ  Ｌｏｏｐ）回路、デジタルＰＬＬ回路、などである。【００１８】  既存の伝送変調において、遠距離通信のインフラでもほぼ２進数を使用している。幅広い使用のため、インターフェイスソフトウエア、ファームウエア、ハードウエアは、様々な２進のラインコーディングまたはチャンネルコーディングを、ｎ−ａｒｙの、たとえば３進ラインコーディングまたはチャンネルコーディングへと変換する必要がある。その簡単な方法としては、３つの２進ビットを２つの３進ビット（ビットごとに３レベルまたはシンボル）またはただ１個の２ｅ３−ａｒｙビット、すなわち８−ａｒｙビットへと変換する。また、伝送のハンドオフ（ｈａｎｄｏｆｆ）ポイントにおいてこの逆も行われる。大陸間深海ケーブル、衛星、基幹回線リンクが、最初の使用に理想的である。【００１９】  当業者は上述した原理に対して様々な変更を加えることができるが、その変更も本発明の範囲に含まれる。
【国際調査報告】
2009502046.tif 000002
2009502046.tif 000003
2009502046.tif 000004